(57)【要約】  極低温環境における試料の顕微鏡撮像に用いるレンズアセンブリを記載する。撮像用の試料を受容するための平面を有する固浸レンズが、平面マウントの面を貫通して設けられた開口の中に装着される。当該顕微鏡撮像は、単一分子局在化技術などの超解像光学撮像技術の使用を含んでもよい。
2022500691.tif 000002
【特許請求の範囲】
【請求項１】
極低温環境における試料の顕微鏡撮像に用いるレンズアセンブリであって、前記レンズアセンブリは、
自身の面を貫通する開口を備える平面マウントと、
撮像用の前記試料を受容するための平面を備える固浸レンズとを備え、
前記固浸レンズは前記開口の中に装着される、レンズアセンブリ。
【請求項２】
前記固浸レンズは無収差固浸レンズ（ＡＳＩＬ）である、請求項１に記載のレンズアセンブリ。
【請求項３】
前記レンズの前記平面は前記マウントの前記面と平行である、請求項１または２に記載のレンズアセンブリ。
【請求項４】
前記固浸レンズは、前記開口から、前記マウントの前記面から離れる両方向に延在する、前述の請求項のいずれか１項に記載のレンズアセンブリ。
【請求項５】
前記固浸レンズの赤道領域は前記開口の中に固定される、請求項４に記載のレンズアセンブリ。
【請求項６】
前記開口は、前記平面マウントと前記固浸レンズとの間に周方向チャネルを備える、前述の請求項のいずれか１項に記載のレンズアセンブリ。
【請求項７】
前記平面マウントは複数の尖端を備え、前記複数の尖端は、前記固浸レンズに向かって、かつ任意に前記固浸レンズに触れるように、前記周方向チャネル内に延在する、請求項６に記載のレンズアセンブリ。
【請求項８】
前記周方向チャネルの内側に接着材料をさらに備え、前記接着材料は前記平面マウントと前記固浸レンズとをつなぐ、請求項６または７に記載のレンズアセンブリ。
【請求項９】
前記接着材料は前記周方向チャネルの周りに連続的に延在する、請求項８に記載のレンズアセンブリ。
【請求項１０】
前記固浸レンズの赤道断面は円形であり、前記開口は円形であり、任意に前記平面マウントの周囲は円形である、前述の請求項のいずれか１項に記載のレンズアセンブリ。
【請求項１１】
前記マウントは、金属、白金、セラミック、および半導体、のうちの少なくとも１つで形成される、前述の請求項のいずれか１項に記載のレンズアセンブリ。
【請求項１２】
試料に対して超解像光学顕微鏡法を実行するための装置であって、
前述の請求項のいずれか１項に記載のレンズアセンブリと、
前記固浸レンズの前記平面の上のまたは前記平面に隣接した試料と、
前記試料が配置される極低温環境と、
前記固浸レンズを通して前記試料の超解像光学画像を得るように配置された超解像光学顕微鏡とを備える、装置。
【請求項１３】
極低温環境における試料の顕微鏡撮像に用いる固浸レンズを装着する方法であって、前記固浸レンズには、撮像用の前記試料を受容するための平面が設けられており、前記方法は、
自身の面を貫通する開口を備える平面マウントを提供することと、
周方向チャネルが前記固浸レンズと前記平面マウントとを分離するように、かつ、前記固浸レンズが、前記開口から、前記マウントの前記面から離れる両方向に延在するように、前記固浸レンズを前記開口の中に装着することとを備える、方法。
【請求項１４】
前記開口は複数の尖端を備え、前記装着するステップは、各尖端が前記周方向チャネル内にまたは前記周方向チャネルを横切って延在するように、前記固浸レンズを前記尖端の各々に近接してまたは接触させて前記開口の中に配置することを備える、請求項１３に記載の方法。
【請求項１５】
前記装着するステップは、接着材料を用いて前記固浸レンズを前記開口の中に固定する後続のステップを備える、請求項１４に記載の方法。
【請求項１６】
前記固定するステップは、前記尖端の各々に第１の接着材料を配置することにより、前記尖端において前記固浸レンズを前記平面マウントに固定し、前記第１の接着材料を硬化させるステップを備える、請求項１５に記載の方法。
【請求項１７】
前記固定するステップは、前記尖端の各々に第２の接着材料を配置することにより、前記尖端において前記固浸レンズを前記平面マウントにさらに固定し、前記第２の接着材料を硬化させる後続のステップを備え、前記第１の接着材料は第２の接着材料よりも硬化時間が短い、請求項１６に記載の方法。
【請求項１８】
前記固定するステップは、前記周方向チャネルの長さに沿って第３の接着材料を配置し、前記第３の接着剤を硬化させる後続のステップを備える、請求項１６または１７に記載の方法。
【請求項１９】
方法であって、
治具を提供することを備え、前記治具は、前記治具の上面に形成された第１の直線チャネルと、前記第１の直線チャネルに平行な、前記第１の直線チャネルの床に形成された第２の直線チャネルとを有し、さらに、
前記平面マウントを前記第１の直線チャネルの中に配置することと、
前記固浸レンズが前記マウントの前記面を貫通する前記開口の中に配置されるように、前記固浸レンズを前記第２の直線チャネルの中に配置することと、
請求項１３〜１８のいずれか１項に記載のステップを実行することとを備える、方法。
【請求項２０】
前記治具には、前記第１および第２の直線チャネルの間の各境界に沿って前記第１の直線チャネルの前記床に形成された実矧ぎ溝が設けられている、請求項１９に記載の方法。
【請求項２１】
試料に対して超解像光学顕微鏡法を実行する方法であって、
請求項１〜１１のいずれか１項にしたがって、または請求項１３〜２０のいずれか１項に記載のステップを実行することによって、レンズアセンブリを提供することと、
前記固浸レンズの前記平面の上にまたは前記平面に隣接して前記試料を配置することと、
前記試料を極低温環境に配置することと、
超解像光学顕微鏡技術を用いて前記固浸レンズを通して前記試料を撮像することにより、前記試料の超解像画像を提供することとを備える、方法。
【請求項２２】
前記超解像光学顕微鏡技術は単一分子局在化光学顕微鏡技術である、前述の請求項のいずれか１項に記載の方法。
【請求項２３】
相関撮像の方法であって、
請求項２１または２２に記載のステップを実行することにより、前記試料の超解像光学画像を提供するステップと、
前記試料に対して電子顕微鏡法またはＸ線顕微鏡法を実行することにより、前記試料のさらなる画像を提供するステップと、
前記超解像光学画像と各試料の前記さらなる画像とを相関させることにより、前記試料の相関画像を提供するステップとを備える、方法。
【請求項２４】
前記極低温環境は、２００ケルビン未満の温度、１３３ケルビン未満の温度、１００ケルビン未満の温度、７７ケルビン未満の温度、液体窒素を用いて維持される、および窒素蒸気を用いて維持される、のうちの少なくとも１つである、前述の請求項のいずれか１項に記載の装置または方法。
【発明の詳細な説明】
【技術分野】
【０００１】
本発明は、極低温環境に置かれた試料の顕微鏡撮像に用いるレンズアセンブリと、そのようなレンズアセンブリの構築および使用方法とに関する。たとえば、当該顕微鏡撮像は、単一分子局在化技術などの技術を用いる超解像光学撮像を含んでもよい。
【背景技術】
【０００２】
導入
従来の顕微鏡法の解像度は光の回折のために制限されており、達成可能な空間分解能はアッベ回折限界によって近似的に定まる。したがって、達成可能な空間分解能は、対物レンズの開口数などの光学パラメータに依存しており、これは、高屈折率の流体を用いて対物レンズと撮像対象の試料とを光結合する液浸技術の使用などによるさまざまな方法で高めることができる。
【０００３】
光学構成を変更する以外の、光学撮像系の空間分解能限界を克服するための他のさまざまな技術も先行技術において開発されており、一般に超解像顕微鏡法の技術と称され得る。そのような技術として、たとえば、発光体同士を分離し、近似の点広がり関数を用いてそれらの位置を合わせる単一分子局在化技術がある。
【発明の概要】
【発明が解決しようとする課題】
【０００４】
そのような超解像顕微鏡技術は、たとえば天然状態でガラス化された生物試料を正確に撮像することができるように、極低温で実行することが望ましい場合が多い。したがって本発明は、先行技術のこれらのおよび他の局面に取り組む。
【課題を解決するための手段】
【０００５】
発明の概要
極低温において単一分子局在化顕微鏡技術などの超解像顕微鏡技術の解像度をさらに向上させることは、液浸対物レンズを使用することの困難さのためにさらに困難になることが見出されている。というのも、通常の顕微鏡法の液浸に用いられる流体はそのような低温に適していないからである。したがって本発明の局面は、極低温での超解像顕微鏡法における固浸レンズの使用を支持する。有利には、この目的で無収差固浸レンズを用いることにより、湿式対物レンズ浸漬液の使用の困難を伴わずに、選択された超解像顕微鏡技術を用いて得られる解像度をさらに高めることができる。
【０００６】
これらの目的で固浸レンズを用いることにより、対物レンズ−固浸レンズ系の開口数および集光効率が高まるため、顕微鏡技術の利用可能な解像度が向上する。
【０００７】
極低温における単一分子局在化顕微鏡技術または他の超解像光学顕微鏡技術を固浸レンズとこのように組み合わせることにより、極低温状態において数十ナノメートルの画像解像度を達成することができ、したがって、相関撮像動作における同様の解像度での同じ試料の電子顕微鏡画像との組み合わせに適切な画像解像度が提供される。これら２つの技術の間のこのような相関撮像は、ガラス化技術を用いてほぼ天然状態に保存されている生物試料を撮像する際に特に有利であり得る。
【０００８】
したがって本発明は、極低温環境における試料の顕微鏡撮像に用いるレンズアセンブリであって、自身を貫通する開口を含むマウントと、撮像用の試料を受容するための平面を含む固浸レンズとを含み、固浸レンズは開口の中に装着されるレンズアセンブリを提供する。特に、マウントは平面マウントとして説明される場合があり、開口はその場合、たとえばマウントの主平面などの面を貫通してもよい。当然のことながら、マウントは平面状または概して平面状であると説明される場合があるが、これは、取り扱いまたは位置決めに用いられる素子などの１つ以上の特徴がそのような面の外に延びる可能性を排除するものではない。
【０００９】
特に、固浸レンズは無収差固浸レンズ（aplanatic solid immersion lens）（ＡＳＩＬ）であってもよく、当該レンズには以下に記載されるように光学性能に関してさらなる利点がある。
【００１０】
レンズの平面は、マウントの面と、または１つ以上の顕微鏡の内部にレンズアセンブリを位置決めするために用いられるマウントの平面と、平行または実質的に平行であってもよい。このように、固浸レンズの光軸は、たとえばそのような顕微鏡の内部のレンズアセンブリの任意の軸回転が起きた場合でも、注意深く制御されて予測可能であるため、顕微鏡法の性能および固浸レンズの使用が向上する。
【００１１】
一般的に、固浸レンズは、開口からマウントを貫通して、マウントの面から離れる両方向に延在し得る。固浸レンズは次いで、開口の中の最大直径領域にまたは最大直径領域の近くに、すなわちレンズの赤道または赤道領域に固定されてもよい。
【００１２】
開口は、平面マウントと固浸レンズとの間に周方向チャネルを含んでもよく、平面マウントは次いで、固浸レンズの位置を合わせる、支持する、または制御するために、固浸レンズに向かって周方向チャネル内に延在する複数の尖端または突起を含んでもよい。特に、尖端は、レンズが開口の中に配置されたときにレンズの正確な位置を提供するのを助けることができ、これによって、レンズと平面マウントとのその後の結合を、たとえばレンズを選択位置から引き離す傾向がある毛管作用などの流体力にもかかわらず、この正確な位置を維持して実行することができる。
【００１３】
尖端は、たとえば、周方向チャネルを横切って延在して固浸レンズに触れてもよく、または、たとえばチャネルを横切って９０％を超えて延在するなど、それよりもわずかに短くてもよい。
【００１４】
そのために、少なくとも３つのそのような尖端を用いることにより、毛管力が等しいこと、したがってレンズがいずれの特定の方向にも優先的に引っ張られないことを確実にすることができる。複数の尖端を周方向チャネルの周りに均一に、すなわち互いに実質的に等しい間隔で分散させることにより、レンズがいずれの特定の方向にも優先的に引っ張られないことをさらに確実にすることができる。
【００１５】
レンズアセンブリは、周方向チャネルの内側に接着材料を含んでもよく、接着材料は平面マウントと固浸レンズとをつなぐ。この接着材料は上述の尖端に加えて設けられることが好ましいが、尖端の位置決め作用にもかかわらず起こる可能性があるレンズとマウントとの望ましくない位置ずれをさらに回避するために、接着材料を特定の方法で塗布することが有利な場合もある。特に、接着材料は、マウントの中のレンズに堅固な支持を与えるために、周方向チャネルの周りに連続的に延在してもよい。そのような接着材料は尖端を覆ってもよい。
【００１６】
固浸レンズの形は一般的に、上述の平面状の試料面が追加された球形であり得る。固浸レンズの赤道断面は次いで一般的に円形であり得る。他の形状および形態が用いられてもよいが、開口は同様に円形であってもよく、任意に平面マウントの周辺または周囲も円形であってもよい。開口を、開口の中に保持すべきレンズの周囲と実質的に同じ形状であるように設けると、周方向チャネル全体の周りに接着材料を均一に塗布するのに役立ち、さらに、たとえば接着剤の塗布時の未硬化の接着剤の流体力によって、および硬化時に起こり得る歪みによって起こるレンズの位置ずれを回避するのに役立つ。
【００１７】
マウントは、金属、白金、セラミック、および半導体、のうちの少なくとも１つで形成されてもよく、または当該少なくとも１つを含んでもよい。金属を用いる場合、金属は白金または別の生体適合性金属であってもよいが、他の金属および材料を用いてもよい。
【００１８】
本発明はまた、上述のレンズアセンブリを使用するための装置、たとえば試料に対して超解像光学顕微鏡法を実行するための装置であって、上述のレンアセンブリと、固浸レンズの平面の上のまたは平面に隣接した試料と、試料が配置される極低温環境と、試料の超解像光学画像を、たとえば固浸レンズを通して当該画像を得ることによって提供するように配置された超解像光学顕微鏡とを含む装置を提供する。
【００１９】
本発明はまた、上述のレンズアセンブリの製造または構築方法、たとえば極低温環境における試料の顕微鏡撮像に用いる固浸レンズを装着する方法であって、固浸レンズは、撮像用の試料を受容するための平面を含み、当該方法は、自身を貫通する開口を含むマウント、たとえば概して平面状のマウントを提供することと、周方向チャネルが固浸レンズとマウントとを分離するように、かつ、固浸レンズが、開口から、マウントから離れる、より具体的にはマウントの主平面から離れる両方向に延在するように、固浸レンズを開口の中に装着することとを含む方法を提供する。
【００２０】
上述のように、開口は複数の尖端または突起を含んでもよく、装着するステップは次いで、各尖端が、固浸レンズの近位部に向かって周方向チャネル内に延在し、任意に周方向チャネルを横切ってまたは実質的に横切って固浸レンズに触れるまたはほぼ触れるように、固浸レンズを尖端の各々の先端に接触させてまたは近接して開口の中に配置することを含んでもよい。
【００２１】
装着するステップは、接着材料を用いて固浸レンズを開口の中に固定する後続のステップを含んでもよい。しかしながら、液状のそのような接着材料はレンズにかなりの流体力および硬化力を与えるため、尖端を用いた正確な位置決めにもかかわらず、レンズの望ましくない位置ずれが生じる可能性がある。
【００２２】
したがって、固定するステップは、尖端の各々に、尖端の各々の上に、または尖端の各々の周りに第１の接着材料を配置することにより、尖端において固浸レンズをマウントに固定するステップを含んでもよい。次いで、さらなるステップを行う前に第１の接着材料を硬化させてもよい。
【００２３】
固定するステップは任意に次いで、尖端の各々に、尖端の各々の上に、または尖端の各々の周りに第２の接着材料を配置することにより、尖端において固浸レンズを平面マウントにさらに固定し、第２の接着材料を硬化させる後続のステップをさらに含んでもよい。この場合、第１の接着材料は第２の接着材料よりも硬化時間が短くてもよい。というのも、レンズは第１の接着剤を用いてすでに少なくとも部分的に固定されているので移動する可能性が低いためであり、硬化時間が長いほど、第２の接着剤を用いてさらに確実な結合を提供することができる。
【００２４】
第２の接着材料が上述のように用いられるか否かにかかわらず、固定するステップは、周方向チャネルの周りに、たとえばレンズの周りのチャネルの全長またはチャネルの少なくとも約９０％に沿って、第３の接着材料を配置し、第３の接着剤を硬化させる後続のステップを含んでもよい。特に、この目的で極低温適合性の接着剤が用いられてもよい。
【００２５】
上述のような接着剤塗布のための固浸レンズおよび平面マウントを提示するのに適した保持機構を提供するために、方法はさらに、治具またはプラットフォームを提供することを含んでもよく、治具は、治具の上面に形成された第１のチャネルまたは溝と、第１のチャネルの床に形成された第２のチャネルまたは溝とを有する。第１および第２のチャネルは直線かつ平行であってもよい。次いで、平面マウントを第１のチャネルの中に配置または設置し、第１のチャネルの床は平面マウントを支持しており、固浸レンズを第２のチャネルの中に設置し、第２のチャネルは、固浸レンズがマウントの面を貫通する開口の中に位置するような、たとえば固浸レンズの赤道領域が開口の中に位置するような深さおよび位置を第１のチャネルの中に有する。固浸レンズは、レンズの平面が第２のチャネルの床に着座するように向けられてもよい。第１および第２のチャネルの床を平行な面として設けることによって、これを用いることにより、接着材料を用いる結合に先立って固浸レンズと平面マウントも平行であることを確実にすることができる。
【００２６】
本発明はまた、上述のレンズアセンブリを使用する方法、たとえば試料に対して超解像光学顕微鏡法を実行する方法であって、上述のレンズアセンブリを提供することと、固浸レンズの平面の上にまたは平面に隣接して試料を配置することと、試料を極低温環境に配置することと、超解像光学顕微鏡技術を用いて固浸レンズを通して試料を撮像することにより、試料の超解像画像を提供することとを含む方法を提供する。
【００２７】
たとえば、超解像光学顕微鏡技術は単一分子局在化光学顕微鏡技術であってもよい。
本発明はまた、相関撮像の方法であって、たとえば、上述の超解像光学顕微鏡法の方法を実行することにより、試料の超解像光学画像を提供するステップと、試料に対して電子顕微鏡法またはＸ線顕微鏡法を実行することにより、試料のさらなる画像を提供するステップと、超解像光学画像と各試料のさらなる画像とを相関させることにより、試料の相関画像を提供するステップとを含む方法を提供する。
【００２８】
本文書で極低温環境について言及する場合、そのような環境は、２００ケルビン未満の温度、１３３ケルビン未満の温度、１００ケルビン未満の温度、７７ケルビン未満の温度、および／または液体窒素を用いてもしくは窒素蒸気を用いて維持される、のうちの少なくとも１つを提供し得る。
【００２９】
添付の図面を参照して、本発明の実施形態をほんの一例として説明する。
【図面の簡単な説明】
【００３０】
【図１】本発明を具体化するレンズアセンブリの斜視図であり、一般的にともに用いられる接着材料は明確にするために省略している。
【図２】本発明を具体化するレンズアセンブリの平面図であり、一般的にともに用いられる接着材料は明確にするために省略している。
【図３】図２に対応するが、接着材料も示されている図である。
【図４】図１〜図３のレンズアセンブリを用いて極低温環境に置かれた試料に対して超解像顕微鏡法を実行するための装置の概略図である。
【図５】治具を用いたレンズアセンブリの構成要素の位置合わせを示す図である。
【図６】接着材料の塗布を伴う、レンズアセンブリを構築するための方法のフローチャート図である。
【図７】レンズアセンブリを用いた相関撮像のための方法のフローチャート図である。
【発明を実施するための形態】
【００３１】
実施形態の詳細な説明
ここで図１を参照して、極低温環境で試料に対して顕微鏡法、たとえば超解像光学顕微鏡法を実行するためのレンズアセンブリ１０が斜視図で示されている。対応する平面図が図２に示されており、図３は以下に説明される接着材料も所定位置に配置された状態の対応する平面図を示す。これらの配置において一般的に用いられる接着材料は、明確にするために図１および図２から省かれている。
【００３２】
顕微鏡法を用いた撮像用または他の分析用の試料（これらの図には図示せず）が、固浸レンズ１４の平面１２に隣接してまたは接触して配置されてもよい。特に、図１に示されるように、これは、以下により詳細に記載される切頭球形のボールレンズの形態をとる無収差固浸レンズ（ＡＳＩＬ）として提供されてもよい。レンズアセンブリはまた、図１においてそれぞれ上面および下面として示されている、対向する、一般的に平行な主面２４、２６を有する平面マウント２０を含むが、レンズアセンブリはいずれかの選択された向きで用いられればよいことに留意されたい。平面マウント２０および当該主面は、平面マウントの主平面内に延在する。平面マウントには、マウント２０の面を貫通する開口２２が設けられており、固浸レンズは開口の中に装着または固定される。
【００３３】
図１に示されるように、固浸レンズ１４は、開口２２から、マウントの面から上向きおよび下向きとして図１に示されている、マウントの主平面から離れる両方向に延在してもよい。特に、固浸レンズ１４は、固浸レンズの赤道領域が開口の中に固定されるように装着されてもよい。
【００３４】
固浸レンズ１４は、固浸レンズの平面１２がマウントの主平面に平行または実質的に平行であるように、たとえば平面マウントの対向主面２４、２６の一方または両方に実質的に平行であるように、開口の中に装着されてもよい。実質的に平行とは、たとえば、対向面２４、２６の一方もしくは両方および／または主平面と平行から約１度以内または約０．１度以内であってもよい。これにより、ユーザは、レンズアセンブリが適切な顕微鏡機器の内部に設置された際に平面１２の向きに高い信頼を置くことができる。
【００３５】
図１に示される平面マウント２０の周辺は平面図で円形であり、開口２２も円形であり、平面マウントの中心に位置決めされる。しかしながら、平面マウントの周辺の他の形状、ならびに開口の他の形状および位置が用いられてもよく、たとえばそのような形状は、要求に応じて、正方形、長方形、他の多角形の形態、および不規則などであってもよい。マウントは一般的に、金属、セラミック、または半導体などの単一材料で形成され得るが、２つ以上の異なる材料が、たとえば、層、コーティングとして、または機能的特徴を追加するために用いられてもよい。生物試料がレンズアセンブリとともに用いられる場合は、平面マウントの材料には白金などの生体適合性材料が好ましい場合がある。また、固浸レンズの材料の熱膨張係数に近い、さらに任意に、レンズをマウントに結合するために用いられる接着剤、特に以下に説明される第３の接着剤の熱膨張係数に近い熱膨張係数を有する材料をマウントに用いることが好ましい場合がある。
【００３６】
図面に示されている平面マウントは、要求に応じて、レンズアセンブリおよび装着された固浸レンズの取り扱い、装着、もしくはその位置の較正を助ける、またはレーザー機械加工もしくは向きを助ける構造など、平面マウントの主平面の内部のまたは主平面の外に延びる他の特徴および構造によって増強されてもよい。
【００３７】
固浸レンズは、開口２２の周辺から周方向チャネル３０内に延在する複数の尖端２８またはスパイクによって開口の中に支持され、周方向チャネル３０は固浸レンズ１４と平面マウントとの間のレンズの周囲に延在する。図１および２では３つのそのような尖端が設けられているが、たとえば４つ、５つ、または６つなど、３つよりも多い尖端が用いられてもよい。尖端は、固浸レンズが開口の中の選択位置に置かれると固浸レンズの周囲にほぼ触れる（たとえばレンズの赤道領域で触れる）ように、たとえば周方向チャネルを横断する距離の少なくとも９０％を延在するように配置されることが好ましいが、尖端は、レンズが開口の中に置かれると、実際に触れるように、またはさらには変形するように、それよりもわずかに長く形成されてもよい。
【００３８】
尖端は一般的に円錐形にまたは尖っているように形成され得るが、他の形状および形態が用いられてもよく、他の形状および形態の各々は一般的に、それらの基部において、開口の周辺の距離のごく一部だけ、たとえば尖端２８ごとに周辺の５％以下だけ延在し得る。
【００３９】
尖端２８を用いて固浸レンズ１４を開口２２の中に位置合わせして位置決めすることができるが、尖端２８は、完成したレンズアセンブリの取り扱い時および使用時にレンズを所定位置に保持することを意図していない。したがって、平面マウントの開口の周辺と固浸レンズとをつなぐことによってレンズを所定位置によりよく固定するために、図３に示されるような接着材料３２が周方向チャネル３０の内側にさらに設けられる。接着材料３２は、チャネルの周囲にこのように連続的に延在してもよく、尖端を覆ってもよく、さらにチャネルの深さを実質的に充填してもよく、要求に応じて、任意にチャネルを完全に充填してさらにチャネルの外に延在してもよい。以下により詳細に記載されるように、接着材料は、製造処理の異なる段階で塗布される２つ以上の異なる接着材料として設けられてもよく、たとえば、まず第１の接着材料が尖端２８の近傍に塗布され、続いて少なくとも第３の接着材料が周方向チャネル３０の周りに塗布されてもよい。
【００４０】
図面に示されているレンズアセンブリのいくつかの一般的な寸法は、平面マウントの直径が約２〜６ｍｍの範囲であり、固浸レンズの直径が約０．５〜３ｍｍであり、平面マウントの厚みが約０．１〜０．４ｍｍであり得る。開口の周辺から固浸レンズに向かうまたは固浸レンズまでの尖端の各々の延在長さ、したがってさらに、周方向チャネル３０のおおよその幅は、たとえば約５〜２０μｍであり得る。
【００４１】
レンズアセンブリの外形寸法および形状が、直径約３ｍｍの円形状および平面状で提供されることが多い一般的な電子顕微鏡グリッドの外形寸法および形状に全体的に対応するように、レンズアセンブリを構築することが有利であり得るが、他の直径も頻繁に用いられる。このように、関連の試料が固浸レンズ１４の平面１２に配置された特定のレンズアセンブリ１０は、たとえば超解像顕微鏡技術が用いられる場合に、たとえばこれらの２つの技術の間の相関撮像の処理において、光学顕微鏡法および電子顕微鏡法の両方の動作においてより容易に用いることできる。
【００４２】
図４は、極低温環境４２で試料４０に対して光学顕微鏡法を、より具体的には超解像光学顕微鏡法を実行するための装置を示す。レンズアセンブリ１０はここでは断面で示されている。上述のように、試料４０は、レンズアセンブリ１０の固浸レンズ１４の平面１２に隣接してまたは接触して配置される。
【００４３】
１つ以上の光源４６を用いてプローブ光が形成され、プローブ光は一般的に、プローブ光光学部品４８を用いて調整または制御されてから、たとえばビームスプリッタ５２を経由して対物レンズ５０に送られる。対物レンズ５０は、プローブ光を試料に送達するために、かつ試料から画像光を収集してＣＣＤまたはＣＭＯＳカメラなどの１つ以上の撮像素子５４に送るために、固浸レンズ１４に向けられている。試料４０から固浸レンズ１４を通って１つ以上の撮像素子５４に至る画像光の経路は、ビームスプリッタ５２および画像光光学部品５６を経由してもよい。
【００４４】
少なくとも試料４０が極低温環境４２の中に含まれているが、さらに固浸レンズ１４およびレンズアセンブリ１０の一部またはすべてが極低温環境の中に都合よく含まれていてもよい。極低温環境は、試料が２００ケルビン未満、１３３ケルビン未満、１００ケルビン未満、または７７ケルビン未満の温度であるようなものであってもよく、あるいは、液体窒素もしくは窒素蒸気、または別の寒剤、たとえば試料４０および／もしくは固浸レンズ１４に近接もしくは接触しているそのような寒剤を用いて維持されることによって規定されてもよい。
【００４５】
試料４０は、たとえば、１つ以上の細胞、細胞小器官、または薄膜など、生物材料もしくは他の材料からなるまたは当該材料を含む薄い試料または膜であってもよい。あるいは、試料は、たとえば量子ドットを含む、生物材料で形成された素子、または検査対象の無機材料の塊などの非生物材料で形成された素子など、より厚い試料素子の表面領域によって提供されてもよい。試料は図４に示されるように固浸レンズ１４と接触していてもよく、またはレンズの表面からわずかに、一般的には約１００ｎｍ未満であるが、ずれていてもよい。
【００４６】
図４の配置を用いて、極低温環境４２で試料４０に対して超解像顕微鏡法が実行される。超解像顕微鏡法を用いることにより、用いられる光学配置の回折限界を超える試料の画像解像度が達成される。たとえば図４の配置では、超解像顕微鏡法を用いることにより、対物レンズ５０および固浸レンズ１４を含む配置の回折限界を超える。
【００４７】
多種多様な超解像顕微鏡技術が用いられ得るが、当該技術は一般的に単一分子局在化技術であり得る。一般的にそのような技術では、撮像素子５４を用いて試料４０を何度も順次撮像し、試料内の分子の小さい異なるサブセットのみが各画像内に表わされる。このように、単一の点として見える個々の分子を各画像内で別個に識別することができるので、たとえば、予想される点広がり関数の曲線を各分子の検出画像に適合させてから、対応する重心の位置を特定することによって、個々の分子の位置を光学配置の回折限界よりも良好な位置精度で特定することができる。複数のそのような画像についてこの処理を繰り返すことによって、解像度がはるかに高い試料の画像を構築することができる。天然状態で時間分解的に撮像可能な性質の分子は、たとえば量子ドット、有機色素および蛍光タンパク質などほんの数種類しかない。試料の大半は、照明時に輝度が変動する蛍光発光体でラベリングされる追加工程が必要である。
【００４８】
いくつかのそのような技術では、試料の個々の分子は、たとえば蛍光発光体などの発光体でラベリングされてもよく、プローブ光は、それらの発光体の小さいサブセットのみが各画像内で発光しているように、当該発光体によって間欠的な蛍光イベントが生じるように使用または制御される。いくつかの特定の実施形態では、超解像顕微鏡技術は、ＳＴＯＲＭと称されることが多い確率的光学再構築顕微鏡法（stochastic optical reconstruction microscopy）技術であってもよい。本発明での使用に適しているそのようなＳＴＯＲＭ技術のいくつかの特定の実現例は、Bo Huang et al., Science 319, 810 (2008), "Three-dimensional super-resolution imaging by stochastic optical reconstruction microscopy"、およびDoory Kim et al., PLos ONE 10(4): e0124581, April 2015, "Correlative stochastic optical reconstruction microscopy and electron microscopy"に記載されている。
【００４９】
そのような蛍光撮像技術用の試料を準備する際は、他の蛍光撮像技術についての態様とほぼ同じ態様で試料の着色およびラベリングが実行され得る。たとえばＡｌｅｘａ  Ｆｌｕｏｒ  ６４７など、多くのＡｌｅｘａ  ＦｌｕｏｒおよびＡｔｔｏ色素がＳＴＯＲＭ撮像に使用可能である。有機色素とは別に、ｍＥＯＳおよびＰＡｍＣｈｅｒｒｙなどの多くの蛍光タンパク質も適している。
【００５０】
しかしながら、本発明は、たとえば構造化照明顕微鏡法（structured illumination microscopy）（ＳＩＭ）および誘導放出抑制（stimulated emissions depletion）（ＳＴＥＤ）顕微鏡法など、試料を極低温環境に配置することが望ましい、画像解像度を向上させるためのさまざまな他の超解像顕微鏡技術とともに用いられてもよい。
【００５１】
平面マウントの中に装着される固浸レンズ１４は、より具体的には無収差固浸レンズ（ＡＳＩＬ）であってもよい。そのようなＡＳＩＬは、（図４に表示されているように）厚みがｒ＋ｒ／ｎの実質的に切頭球形のボールレンズであることによって特徴付けられる場合があり、ｒはボール半径であり、ｎはボールレンズの材料の屈折率である。これは、実質的に平面状の切頭面の位置が半球固浸レンズとは異なり、半球形の場合はレンズの厚みはｒである。試料と実質的に接触している半球固浸レンズを用いることにより、対物レンズ５０と組み合わせて、対物レンズ５０単独の開口数の倍数ｎを有する開口数を提供することができる。対照的に、対物レンズ５０と組み合わされた無収差固浸レンズは、ｎの最大値を上限として、対物レンズ５０単独の開口数の倍数ｎ２を有する開口数を達成することができる。
【００５２】
当然のことながら、固浸レンズはそれぞれの光学配置において光学的に用いられる表面によって規定されていれば十分であるので、撮像対象の試料から遠い曲面は一般的には実質的に球形であり、撮像対象の試料に近い表面は一般的には実質的に平面状であるが、無収差固浸レンズの他の部分はボール形状または図１に示される理想的な切頭球体を必ずしも完成させる必要はない。
【００５３】
さらに、ＳＩＬまたはＡＳＩＬは、球形である曲面を用いて実現されてもよいが、非球面が用いられてもよい。たとえば、Brunner et al. (2004), “Diffraction-based solid immersion lens”, Journal of the Optical Society of America, A 2(7):1186-1191、およびCohn et al. (2002), “Transient photoinduced diffractive solid immersion lens for infrared microscopy”, Applied Physics Letters, 81(19):3678-3680参照。
【００５４】
無収差固浸レンズはまた、半球固浸レンズよりも広い有効視野を提供することができるが、色収差が多少増加する場合がある。この増加は、さまざまな光波長について対物レンズ５０とＡＳＩＬ１４との間の間隔をわずかに変化させることによって補償することができる。そのような収差および設計上の考慮事項は、たとえばLin Wang et al., Applied Optics, Vol. 49, No. 31, 6160 - 6169に記載されている。
【００５５】
図４の配置における固浸レンズまたはＡＳＩＬの使用に起因する開口数の増加は、レンズに用いられる材料の屈折率に直接依存する。したがって、屈折率が２．２の二酸化ジルコニウムなどの高屈折率の材料が用いられてもよい。レンズのサイズは、視野および収差効果などの要因同士の折り合いをつけるように選択されてもよい。球径が約３ｍｍのＡＳＩＬが用いられ、材料が二酸化ジルコニウムである場合は、レンズ深さは約２．１８ｍｍになる。
【００５６】
図４に示されるように、極低温環境４２で試料４０に対して超解像顕微鏡法を実行するために固浸レンズ１４、より具体的にはＡＳＩＬを用いることにより、光学撮像配置において高開口数を達成することができ、したがって、撮像素子５４が検出する特徴の超解像局在化において高精度を達成することができる。高開口数を達成する代替的な方法は、高指数浸漬液の塊が湿式対物レンズおよび試料と接触してこれらの間の光学空間を埋めている状態で当該湿式対物レンズを用いることであろう。しかしながら、そのような高指数浸漬液は、極低温環境と関連する低温に対する耐性がない。低温は、たとえば、撮像対象の試料内の標的構造が、超解像撮像処理が成功するためにはガラス化が必要な細胞内小器官または他の生物学的構造である場合など、検査対象の試料の性質によって必要となることが多い。したがって、固浸レンズを用いる本発明は、超解像顕微鏡法を実行する際に、液浸レンズを用いて利用可能な開口数よりも高い開口数、および極低温に対する耐性の両方を提供する。対照的に、一般的な顕微鏡浸漬オイルは、ＤＩＮ／ＩＳＯによって規定されているように摂氏約２３°に対して標準化されている。特殊用途向け浸漬オイルの中には、摂氏１８°、２０°または３７°での使用に得ることができものもある。
【００５７】
乾式対物レンズ５０は、固浸レンズ１４を収容できるように十分長い作動距離を有するべきである。一般的な作動配置では、適切なレンズは５０Ｘ  Ｍｉｔｕｔｏｙｏ  Ｐｌａｎ  Ａｐｏ  Ｉｎｆｉｎｉｔｙ  Ｃｏｒｒｅｃｔｅｄ  Ｌｏｎｇ  ＷＤ  Ｏｂｊｅｃｔｉｖｅ（ＮＡ  ０．５５、作動距離１３ｍｍ）であってもよい。
【００５８】
レイリー基準に従って、対物レンズ５０と無収差固浸レンズとの組み合わせの光学分解能は
【００５９】
【数１】
2022500691.tif 000003
【００６０】
である。
ここで、λは収集した画像光の波長であり、ｎはＡＳＩＬ材料の屈折率であり、ＮＡは乾式対物レンズの開口数である。なお、ｎ２とＮＡとの積はｎの最大値の影響を受ける。
【００６１】
次いで、以下の局在化精度
【００６２】
【数２】
2022500691.tif 000004
【００６３】
を用いて、画像内の別個の分子の検出に基づく超解像技術の分解能を評価することができる。
【００６４】
ここで、Ｎは各単一分子から収集した光子数である。したがって、そのような超解像技術の局在化精度は
【００６５】
【数３】
2022500691.tif 000005
【００６６】
として表わされ得る。
一例として、光波長が５００ｎｍであり、光子数が控えめに見積もって１０００であると仮定すると、一般的な作動配置の局在化精度は１５ｎｍとなる。
【００６７】
本発明のレンズアセンブリに用いる固浸レンズまたはＡＳＩＬは、たとえばＫｎｉｇｈｔ  Ｏｐｔｉｃｓ社(https:/www.knightoptical.com)またはＡＷＩ社(http://www.awi-industries.com)の製品として入手してもよい。平面マウントは、レーザー切断によって、または白金金属のシートなどの適切な材料のシートからの微細機械加工、フォトエッチングもしくはフォトリソグラフィなどの他の処理によって都合よく形成されてもよく、この切断処理は尖端２８の形成を含む。
【００６８】
次いで、たとえば図５に示される治具配置を用いて、固浸レンズ１４を平面マウント２０とともに必要な位置に位置合わせした後、以下に記載されて図６に示されるような複数段階で結合処理を実行することによって、上述のレンズアセンブリ１０を構築するかまたは組み立ててもよい。
【００６９】
図５は、ここでは断面で示されている治具７０を用いて平面マウント２０および固浸レンズ１４がどのように位置合わせされ得るかを示す。治具７０は、床７４を有する第１の溝７２を含み、床７４は、好ましくは平坦であり、平面マウント２０を第１の溝７２の中に受容するのに十分な幅を有する。たとえば、第１の溝は平面マウントよりもわずかに幅広であってもよく、第１の溝７２の側壁７６は溝の長さに沿った（図の平面に入る／図の平面から出る）方向において平行であってもよい。
【００７０】
治具７０は第２の溝８０をさらに提供し、第２の溝８０は、好ましくは第１の溝の床７４の中央に位置し、さらに深い床８２を提供し、床８２も好ましくは平坦であり、たとえば固浸レンズの平面１２が床８２上に静止した状態で固浸レンズを受容するのに十分な幅を有する。第２の溝は、緊密な嵌合を形成するように、第２の溝の頂部において固浸レンズよりもわずかに幅広であってもよい。
【００７１】
第１および第２の溝の深さは、第２の溝に着座しているときの固浸レンズ１２と、第１の溝に着座しているときの平面マウントとが、所望の位置および向きで互いに対して正確に配置されるように構成される。特に、第１の溝７２の床７４の面と第２の溝の床８２の面とは、完成時に、固浸レンズの平面が平面マウントの主平面と、または平面マウントの上下面２４、２６のうちの少なくとも一方と平行であることを確実にするために、（たとえば、１度よりも良好な、または０．１度よりも良好な許容誤差で）平行または実質的に平行であってもよい。
【００７２】
レンズのどの部分が尖端２８と接触しているか、または尖端２８に非常に近いか、という点での固浸レンズの位置も、第２の溝８０の適切な深さを提供することによって設定することができる。たとえば、固浸レンズの赤道または最も幅広の周囲に尖端が触れてもよく、当該赤道または周囲は平面マウントに隣接して配置されてもよく、これにより、レンズおよびマウントを互いに取り付けるための最も確実な位置を提供することができるが、必要に応じて他の位置も可能である。レンズおよびマウントが正しく配置されると、各尖端２８は、レンズが尖端の各々と接触する、またはほぼ接触するように、マウントとレンズとの間で周方向チャネル３０を横切って延在することになる。
【００７３】
第１および第２の溝のすべての側壁を平行にし、これらの溝を治具の一端で開口するように延在させ、治具の両端で開口するように任意に延在させることによって、位置合わせ処理を実行するユーザは、溝に沿って平面マウントおよび固浸レンズまで見やすくなり、目で、または適切な光学機器を用いて、以下に記載されるさらなる結合動作の前および最中に正しい位置合わせを確認することができる。たとえば、レンズの球面のために、レンズが第２の溝の中で平坦であるか否かを上から確かめることは困難であり、第２の溝の基部に沿った見通し線を用いてこれを確認することができ、治具の端部からの側面図をさらに用いて、マウントが第１の溝の中で平坦であること、およびレンズがマウントの中で正しく位置決めされていることを確実にすることできる。
【００７４】
同様に、そのような確認は、これも治具の上から用いてレンズおよびマウントの位置決めを確認することができる機械視覚システムを用いて、自動的に行ってもよい。
【００７５】
さらに、第１の溝と第２の溝との間の境界における実矧ぎ溝９０が、レンズとマウントとの間の周方向チャネルが第１の溝の床の真上ではなくこれらの実矧ぎ溝９０の上に位置するように、設けられてもよい。これらの実矧ぎ溝はこの場合、周方向チャネルの中に配置された接着材料が治具７０にも結合する可能性を低下させる。
【００７６】
たとえば図５の治具または同様のものを用いて、平面マウント２０と固浸レンズ１４との正確な相対的位置決めが提供されると、固浸レンズは、尖端２８（図５には図示せず）によって平面マウントの開口２２の中の適切な中心位置に保持される。レンズは次いで、１つ以上の接着材料を用いて、たとえば以下に説明されて図６のフロー図に示されるような方法を用いて、所定位置にさらに確実に取り付けられてもよい。接着材料は一般的に、手または機械によって、適切に小さいノズルを通して、またはスパチュラもしくは細い毛髪やまつげなどの他の運搬体を用いて塗布され、実体顕微鏡などの視覚補助具によって任意に誘導され得る。
【００７７】
図６に記載されるように、第１のステップ１０２は、固浸レンズ１４および平面マウント２０を互いに対して正確に所望の位置および向きに配置することからなる。次いでステップ１０４において、第１の接着材料を、開口の周辺と尖端に隣接したレンズとの間を結合するように尖端の各々に塗布し、これらの領域における平面マウントへのレンズの最初の結合を提供するために乾燥または硬化させる。固浸レンズは小さいため、第１の接着剤の表面張力および他の流体効果によって開口２２の中の所望の位置から容易に引き離され得る。比較的少量の第１の接着材料を尖端の近傍のみに塗布すると、この効果が最小限に抑えられるため、第１の接着材料が十分に硬化すると、レンズが所定位置に十分に確実に取り付けられてさらなる接着材料を塗布することができ、レンズが当該さらなる接着材料によって所定位置から引き抜かれるというリスクがない。たとえば、図６の第２のステップにおいて塗布される第１の接着材料の体積は、後続のステップにおいて塗布されるさらなる接着材料の体積の２０％未満、または１０％未満であってもよい。
【００７８】
また、たとえば接着力および／または表面張力によって接着剤が各尖端においてレンズに与える引張効果の間の力のバランスまたは平衡を提供するために、同様の量の第１の接着材料を各尖端において用いることが望ましい。
【００７９】
第１の接着材料が十分に硬化すると、図６に示されるように１つ以上のさらなるステップにおいてさらなる接着材料を塗布してもよい。場合によっては、同様に尖端の近傍のみに第２の接着材料を塗布するステップ１０６を実行してもよい。そのような場合、第１の接着剤は第２の接着剤よりも硬化が速い接着剤であってもよく、たとえば、第１の接着剤については５分程度未満であり、第２の接着剤については数時間程度であってもよい。
【００８０】
たとえばステップ１０４における、および任意にステップ１０６における、尖端の近傍における接着材料の塗布に続いて、図６のステップ１０８において、平面マウントと固浸レンズとの間の周方向チャネル３０の長さの大部分またはすべてに沿って第３の接着材料を塗布する。どのような間隙も、使用中の冷却処理時に熱収縮の問題を引き起こして、結合が失敗するおそれのある箇所をもたらす可能性があるので、接着剤は、周方向チャネルに沿って連続的に間隙がないように塗布することが望ましい場合がある。たとえば、この第３の接着材料は、チャネルを充填するのに十分な体積で塗布されてもよい。
【００８１】
この第３の接着材料は、極低温状態で用いられる場合は、熱安定性のために特に選択された極低温適合性の接着剤であることが好ましい。そのような極低温適合性の接着剤として、ＬｏｃｔｉｔｅブランドとしてＨｅｎｋｅｌ社から入手可能なＳｔｙｃａｓｔ熱伝導性エポキシカプセル体（たとえばhttp://www.loctite.co.uk参照）がある。そのような適切な製品の１つは、たとえばＬａｋｅｓｈｏｒｅ  Ｃｒｙｏｔｒｏｎｉｃｓ社から入手可能な、Ｃａｔａｌｙｓｔ  ２３ＬＶ硬化剤とともに用いられるＳｔｙｃａｓｔ  ２８５０  ＦＴである。
【００８２】
一般的に、チャネル３０の周囲全体に塗布するための接着材料は、たとえば高温で数時間にわたって加熱硬化されるなど、第１または第２の接着材料よりも硬化が遅い接着剤であり得る。
【００８３】
上述の第１および第２の接着材料はまた、要求に応じて、適切なエポキシカプセル体などの極低温適合性の接着剤であってもよいが、これらの材料については極低温適合性である必要性は低い場合がある。要求に応じて、上述のようにまたは図６に示されるように結合段階のうちの２つ以上に同じ接着材料が用いられてもよい。
【００８４】
上述の尖端構造の使用を含む、平面マウントの中に固浸レンズを固定するためのこれらの説明された方法を用いることにより、接着材料の塗布時に起こる意図された位置からの望ましくないずれのリスクを減らして、レンズをより正確に取り付けることができる。
【００８５】
本発明を用いることにより、上述した図４に示される極低温超解像顕微鏡技術を用いて取得された画像データが、同様に極低温環境に置かれた１つもしくは複数の試料を用いて実行された電子顕微鏡法および／もしくはＸ線顕微鏡法を用いて取得された画像データと組み合わされるかまたは相関付けられる、試料の相関撮像を実現することができる。この目的で、図７は相関撮像の方法を示すフローチャートである。
【００８６】
図７のステップ３００において、たとえば本文書の他の箇所でより詳細に記載されているように、上述のようにレンズアセンブリ１０に含まれているたとえばＡＳＩＬなどの固浸レンズ１４の平面１２と接触してまたは直接隣接して試料を準備する。次いでレンズアセンブリを、試料を極低温環境４２の中に維持するのに適切なクライオスタットの中に装填してもよい。
【００８７】
試料は次いで、試料の超解像画像データ３６０を得るために、本文書の他の箇所で説明されたように極低温超解像顕微鏡技術を受ける。
【００８８】
超解像画像データ３６０が得られると、試料は次いで、試料の電子顕微鏡画像データ３７０を得るために、図７のステップ３３０において電子顕微鏡技術を受ける。都合よく、超解像顕微鏡法ステップ３２０で用いられる固浸レンズに接触または隣接するように試料を準備しているので、固浸レンズおよびレンズアセンブリは、試料を大きく乱すことなく、電子顕微鏡法ステップ３３０の間は試料の支持台として機能し続けることができる。超解像顕微鏡処理時にレンズアセンブリがクライオスタットの中にある場合は、レンズアセンブリは同じクライオスタット内の所定位置にとどまって電子顕微鏡装置に移送されて電子顕微鏡装置の内部で使用されてもよい。
【００８９】
電子顕微鏡装置は、走査型電子顕微鏡（ＳＥＭ）および透過型電子顕微鏡（ＴＥＭ）装置など、試料を撮像するための多種多様な電子顕微鏡法を提供し得る。いくつかのこのような技術については、超解像顕微鏡法ステップ３２０の前に、および電子顕微鏡法ステップ３３０の前に、試料のさらなる準備が適切な場合がある。必要に応じて、図７の超解像顕微鏡段階と電子顕微鏡段階とを逆にしてもよく、ならびに／または、他の顕微鏡段階、たとえば、同じもしくは異なる顕微鏡技術、超解像顕微鏡技術、および電子顕微鏡技術の他の撮像段階を含む顕微鏡段階が用いられてもよい。軟Ｘ線顕微鏡技術などのＸ線顕微鏡技術が、電子顕微鏡技術に加えてまたは電子顕微鏡技術の代わりに用いられてもよい。
【００９０】
同じ試料の超解像画像データ３６０および電子顕微鏡画像データ３７０が得られると、試料内の構造的特徴が一致するように、たとえば基準マーカまたは特徴検出アルゴリズムを用いてこの画像データ対を位置合わせしてもよいし、または相関付けてもよい。次いで、必要に応じてそのような位置合わせを用いて、超解像画像データ３６０と電子またはＸ線顕微鏡画像データ３７０とを組み合わせることにより、試料の組み合わせ画像または相関画像３８０を形成してもよい。
【００９１】
試料のそのような組み合わせ画像または相関画像３８０は、別々に考慮される超顕微鏡画像３６０または電子もしくはＸ線顕微鏡画像のいずれに対しても大きな利点を提供し得る。たとえば、相関的な光および電子またはＸ線顕微鏡法は、細胞の超微細構造の文脈において、特定の生体分子の分子分布および組成のマルチモーダリティ撮像ソリューションを提供する。
【００９２】
超解像光学顕微鏡装置および電子顕微鏡装置の両方での使用により適切であり、極低温において安定しているように構築されるレンズアセンブリを提供することによって、そのような相関撮像の信頼性および利便性を高めることができる。
【００９３】
本発明の特定の実施形態が説明されたが、当業者であれば本発明の範囲から逸脱することなくさまざまな修正および変更がなされ得ることを理解するであろう。
【００９４】
たとえば、単一分子局在化顕微鏡法だけでなく、構造化照明顕微鏡法、誘導放出抑制（ＳＴＥＤ）顕微鏡法、超解像放射状変動（super-resolution radial fluctuations）（ＳＲＲＦ）技術、超解像光学変動撮像（super-resolution optical fluctuation imaging）（ＳＯＦＩ）、および可逆的飽和性光学線形蛍光遷移（reversible saturable optical linear fluorescence transitions）（ＲＥＳＯＬＦＴ）技術など、他の確立された超解像顕微鏡技術も、説明された装置および方法を用いて実現することができる。
【図１】
2022500691.tif 000006
【図２】
2022500691.tif 000007
【図３】
2022500691.tif 000008
【図４】
2022500691.tif 000009
【図５】
2022500691.tif 000010
【図６】
2022500691.tif 000011
【図７】
2022500691.tif 000012
【国際調査報告】
2022500691.tif 000013
2022500691.tif 000014
2022500691.tif 000015